(57)【要約】【課題】刈取装置の接地圧の軽減と刈取部の不要な沈み込みの防止と刈幅の変更調節の全てを兼ね備えた刈取装置は存在せず、操作性や作業性が低下するという課題がある。【解決手段】刈取装置４の分草装置８のうち、少なくとも、右側の分草装置８Ａを取付けた分草杆２５は、前側分草杆２５Ａと後側分草杆２５Ｂとに前後に分割する。前側分草杆２５Ａは後側分草杆１５Ｂに対して縦軸２７により縦軸回動自在に取付け、圃場上面に接触しつつ追従昇降する接地体２６は前側分草杆２５Ａに一体の前側接地体２６Ａと後側分草杆２５Ｂに一体の後側接地体２６Ｂとに分割して形成したことを特徴とするコンバイン。【選択図】図３
2010172239.tif 000002
【特許請求の範囲】
【請求項１】
機体フレーム（１）の下方に走行装置（２）を、上方一側に脱穀装置（３）を、夫々設け、前記機体フレーム（１）の前方には刈取上下シリンダ（１７）により上下する刈取装置（４）を設け、刈取上下シリンダ（１７）とは別に刈取装置（４）を支持して刈取装置（４）の接地圧を軽減する補助付勢手段（２０）を設け、前記刈取装置（４）は、その前部に分草装置（８）を左右に複数並設し、各分草装置（８）の後側に分草装置（８）が分草した穀稈を引起す引起装置（９）を設け、前記各分草装置（８）は分草杆（２５）の先端に設け、各分草杆（２５）の下方には圃場の起伏変化に伴い圃場上面に接触しつつ追従昇降する接地体（２６）を夫々設け、前記分草装置（８）のうち、少なくとも、右側の分草装置（８Ａ）を取付けた分草杆（２５）は前側分草杆（２５Ａ）と後側分草杆（２５Ｂ）とに前後に分割し、前側分草杆（２５Ａ）は後側分草杆（１５Ｂ）に対して縦軸（２７）により縦軸回動自在に取付け、前記接地体（２６）のうち前記前側分草杆（２５Ａ）と後側分草杆（２５Ｂ）とに設けた接地体（２６）は前側分草杆（２５Ａ）に一体の前側接地体（２６Ａ）と後側分草杆（２５Ｂ）に一体の後側接地体（２６Ｂ）とに分割して形成したことを特徴とするコンバイン。
【発明の詳細な説明】
【技術分野】
【０００１】
本発明は、コンバインに係るものである。
【背景技術】
【０００２】
従来、機体フレームの下方に走行装置を、上方一側に脱穀装置を、夫々設け、前記機体フレームの前方には刈取上下シリンダにより上下する刈取部を設け、刈取上下シリンダとは別に刈取部を支持して刈取部の接地圧を軽減する補助付勢手段を設けた構成は公知である（特許文献１）。
また、刈取部は、最先端位置に分草装置を左右に複数並設し、各分草装置の後側に分草装置が分草した穀稈を引起す引起装置を設け、各分草装置は分草杆の先端に設け、各分草杆の下方には接地体を夫々設けた構成は公知である（特許文献２）。
また、左右並設した分草装置のうち、少なくとも、右側の分草装置を縦軸回動自在に取付けた構成は公知である（特許文献３）。
【先行技術文献】
【特許文献】
【０００３】
【特許文献１】特開２００６−１７４８５６号公報
【特許文献２】特開２００６−２０４３０７号公報
【特許文献３】特開２００６−１５８３３２号公報
【発明の概要】
【発明が解決しようとする課題】
【０００４】
前記公知例のうち、特許文献１に記載されたものは、単に、刈取部の接地圧を軽減するだけであるため、刈取部の不要な沈み込みを効果的に防止できないという課題がある。
前記公知例のうち、特許文献２に記載されたものは、単に、各分草杆の下方に接地体を設けた構成であるから、刈取部の圃場の接地姿勢を安定させるのに一定の効果があるが、刈取部の不要な沈み込みを防止できないという課題がある。
前記公知例のうち、特許文献３に記載されたものは、単に、右側の分草装置を外側回動させるだけであるから、刈幅の変更調節はできるが、刈取部の不要な沈み込みや刈取部の圃場の接地姿勢を安定させられないという課題がある。
本願は、刈取部の不要な沈み込みを効果的に防止しつつ接地姿勢を安定させて、更に、刈幅の変更調節をできるように工夫したものである。
【課題を解決するための手段】
【０００５】
本発明は、機体フレーム１の下方に走行装置２を、上方一側に脱穀装置３を、夫々設け、前記機体フレーム１の前方には刈取上下シリンダ１７により上下する刈取装置４を設け、刈取上下シリンダ１７とは別に刈取装置４を支持して刈取装置４の接地圧を軽減する補助付勢手段２０を設け、前記刈取装置４は、その前部に分草装置８を左右に複数並設し、各分草装置８の後側に分草装置８が分草した穀稈を引起す引起装置９を設け、前記各分草装置８は分草杆２５の先端に設け、各分草杆２５の下方には圃場の起伏変化に伴い圃場上面に接触しつつ追従昇降する接地体２６を夫々設け、前記分草装置８のうち、少なくとも、右側の分草装置８Ａを取付けた分草杆２５は前側分草杆２５Ａと後側分草杆２５Ｂとに前後に分割し、前側分草杆２５Ａは後側分草杆１５Ｂに対して縦軸２７により縦軸回動自在に取付け、前記接地体２６のうち前記前側分草杆２５Ａと後側分草杆２５Ｂとに設けた接地体２６は前側分草杆２５Ａに一体の前側接地体２６Ａと後側分草杆２５Ｂに一体の後側接地体２６Ｂとに分割して形成したことを特徴とするコンバインとしたものであり、コンバインを前進させて、分草装置８で分草するとともに引起装置９で引起し、その後刈刃１０で穀稈の根本側を切断し、切断した穀稈を穀稈搬送装置１１で搬送して穀稈の刈取作業を行う。
刈取装置４の刈取フレーム１５は刈取支持フレーム１６の先側に設け、刈取上下シリンダ１７により刈取装置４を上下させて刈り高さを調節し、調節された刈り高さよりは下がらずに、前進して刈取作業を行う。
刈取装置４は、刈取装置４と圃場との接地圧力を軽減する補助付勢手段２０を刈取上下シリンダ１７とは別に設けているので、刈取装置４が圃場上面に接触すると、その反力により刈取装置４の上方退避が許容される。
刈取装置４の各分草装置８を設けた各分草杆２５の下方には接地体２６を設けているので、接地体２６は圃場の起伏変化に伴い刈取装置４を圃場上面に追従昇降させて、圃場上面より所定高さの刈取作業高さに保持する。
複数の分草装置８のうち、少なくとも、右側の分草装置８Ａを取り付けた分草杆２５は前側分草杆２５Ａと後側分草杆２５Ｂとに前後に分割し、前側分草杆２５Ａの基部を後側分草杆１５Ｂに縦軸２７により縦軸回動自在に取付け、右側の分草装置８Ａに設ける接地体２６を後側下方の前側接地体２６Ａと後側接地体２６Ｂとに分割して、前側分草杆２５Ａと後側分草杆２５Ｂに夫々取り付けているので、右側の分草装置８Ａを通常作業位置に位置させたときは、前側接地体２６Ａと後側接地体２６Ｂとは直線状に前後に並び、圃場の凸部に接触したときの刈取装置４の上方退避を円滑にさせる。
また、右側の分草装置８Ａを外側回動させると、前側接地体２６Ａだけが外側回動して刈幅が拡大するが、この分草杆２５および接地体２６を回動させるときの抵抗を軽減させ、右側の分草装置８Ａの回動を円滑にする。
【発明の効果】
【０００６】
請求項１の発明では、刈取上下シリンダ１７とは別に設けた補助付勢手段２０により刈取装置４の接地圧力を軽減させて、刈取装置４が圃場上面に接触すると上方退避させて突っ込みによる刈取装置４の破損を防止でき、更に、刈取装置４の各分草杆２５には接地体２６を設けているので、接地体２６により刈取装置４の接地面積を広くして圃場の起伏変化に伴い刈取装置４の圃場上面に対する追従昇降を良好にでき、しかも、右側の分草装置８Ａをを外側回動させると、前側接地体２６Ａだけが外側回動し、分草杆２５および接地体２６を回動させるときの抵抗を軽減させ、右側の分草装置８Ａの回動を円滑にして刈幅の拡大を容易に行え、刈取作業の能率を向上させることができる。
【図面の簡単な説明】
【０００７】
【図１】コンバインの側面図。
【図２】同平面図。
【図３】刈取装置の概略平面図。
【図４】補助付勢手段の側面図。
【図５】分草装置の側面図。
【図６】同平面図。
【図７】同平面図。
【図８】同平面図。
【図９】分草装置の操作レバーの他の実施例の側面図。
【図１０】刈取装置の他の実施例の概略斜視図。
【図１１】同斜視図。
【図１２】同変速装置の概略図。
【図１３】刈取装置の上下動状態図。
【図１４】刈取装置（コンバイン）の他の実施例の側面図。
【図１５】同正面図。
【図１６】同平面図。
【図１７】同側面図。
【発明を実施するための最良の形態】
【０００８】
本発明の実施例を図により説明すると、１は機体フレーム、２は該機体フレーム１の下方位置に設けた走行装置、３は機体フレーム１の上方位置に設けた脱穀装置、４は脱穀装置３の前側に設けた刈取装置、５はグレンタンク、６はグレンタンク５内の穀粒を排出する排出オーガ、７は操縦部である。
前記刈取装置４は、最先端位置に分草装置８を左右に並設し、各分草装置８の後側に分草装置８が分草した穀稈を引起す引起装置９を設け、引起装置９の後側には刈刃１０を設け、刈刃１０の上方の後側には刈刃１０によって刈り取った穀稈を搬送する穀稈搬送装置１１を設ける。
【０００９】
穀稈搬送装置１１の構成は任意であり、前側搬送装置１２や掻き込み装置１３や後方に搬送する後側搬送装置１４等により構成する。分草装置８と引起装置９と刈刃１０と刈り取った穀稈を搬送する穀稈搬送装置の一部を刈取フレーム１５に設け、刈取フレーム１５は刈取支持フレーム１６の先側に設ける。刈取支持フレーム１６は、公知のごとく、機体固定部に設けた刈取懸架支持台１８にその基部を回動自在に取付ける。刈取支持フレーム１６と機体フレーム１の間には、刈取装置４を上下させる刈取上下シリンダ１７を取付ける。
【００１０】
刈取上下シリンダ１７は油圧ポンプ（図示省略）により送油されて刈取装置４を上昇させ、送油した油を戻すと刈取装置４を下降させる単動式シリンダにより構成する。
刈取上下シリンダ１７とは別に、刈取装置４の接地圧力を軽減する補助付勢手段２０を設ける（図１では刈取上下シリンダ１７および補助付勢手段２０の図示を省略している）。補助付勢手段２０は刈取装置４の重量よりも所定量だけ小さい反発弾性力を備えたバネ機構２１を有して構成し（図４）、バネ機構２１は刈取装置４が圃場面との接触で突き上げられると、刈取装置４が上方退避できるように上昇側に付勢し、圃場面からの突き上げがなくなると、刈取装置４の自重で刈取装置４が下降するように構成する。
【００１１】
下降速度を遅くする構成は任意であるが、一例を示すと、バネ機構２１は伸縮自在のバネホルダ２２内に大径バネ２３と該大径バネ２３より短い小径バネ２４を内蔵して構成する。
そのため、刈取装置４が最上方位置から所定高さまでの下降速度は速くし、所定高さより更に下降させるときの下降速度が最上方位置から下降速度より遅くなるように構成する。
【００１２】
即ち、刈取装置４が最上方位置から所定高さまで大径バネ２３単独の弾力により支持しながら下降させて下降速度を速くして作業の迅速化を図り、所定高さより更に下降させるときは大径バネ２３および小径バネ２４の両者により支持して下降速度を遅くし、刈取装置４の先端部が接地位置付近では下降速度が最も遅くなって、刈取装置４の先端部が地面に突っ込みにくくなり対地追従の刈取装置４の下げ操作を行い易くする。
【００１３】
また、刈取装置４の分草装置８を接地させた状態のときも、分草装置８が圃場面に接触すると、刈取装置４を上方退避させるので、刈取装置４の刈取高さを低く一定にでき、刈取高さ調節が容易になる。
【００１４】
しかして、前記各分草装置８は分草杆２５の先端に設け、各分草杆２５の下方には橇形状の接地体２６を設ける。接地体２６は圃場の起伏変化に伴い圃場上面に追従昇降して、刈取装置４を所定高さに保持する作用を奏する。
【００１５】
この場合、前記分草装置８のうち、少なくとも、右側の分草装置８Ａを取り付けた分草杆２５は前側分草杆２５Ａと後側分草杆２５Ｂとに前後に分割し、前側分草杆２５Ａの基部を後側分草杆１５Ｂに縦軸２７により縦軸回動自在に取付ける。前側分草杆２５Ａにはアーム３０の中間部を固定し、アーム３０は前記縦軸２７に回動自在に取付ける。アーム３０の一方端にはバネ３１を接続する。アーム３０の他方端には操作用伝達部材（ワイヤー）３２を係止し、操作レバー３３の操作を操作用伝達部材３２が伝達して分草装置８を外側回動させる。
【００１６】
バネ３１と操作用伝達部材３２の関係は任意であり、バネ３１が外側回動あるいは内側回動させるように付勢し、操作用伝達部材３２がバネ３１に抗して分草装置８を回動させればよい。
前記前側分草杆２５Ａと後側分草杆２５Ｂの夫々の下方に設けた接地体２６は、前側接地体２６Ａと後側接地体２６Ｂとに分割して設ける。前側接地体２６Ａと後側接地体２６Ｂは、通常、圃場の凸部に接触したときの補助付勢手段２０による刈取装置４の上方退避を円滑にさせ、右側の分草装置８Ａを外側回動させるときは前側接地体２６Ａだけを外側回動させることができ、回動させるときの抵抗を軽減させ、右側の分草装置８Ａの回動を円滑にする。
【００１７】
また、前記縦軸２７の下方に前側接地体２６Ａの後端を位置させると、一層、接地体２６Ａの回動の抵抗を軽減させ、右側の分草装置８Ａの回動を円滑にする。
また、前側接地体２６Ａの後端に、薄い後方突起部３５を設け、後方突起部３５は後側接地体２６Ｂの先端下方に位置させ、前側接地体２６Ａの後端と後側接地体２６Ｂの前端とが上下に重なるように構成する。
【００１８】
そのため、接地体２６を前側接地体２６Ａと後側接地体２６Ｂとに分割していても、圃場の凸部に接触したときに引っ掛かるのを抑制し、補助付勢手段２０による刈取装置４の上方退避を円滑にさせる。
また、前記縦軸２７の下方に前側接地体２６Ａの後端のみならず、前側接地体２６Ａの後端と後側接地体２６Ｂの前端との上下重なり部分も位置するので、縦軸２７付近を保護でき、藁屑等が縦軸２７付近に溜まるのを防止する。
【００１９】
図７のように、後側接地体２６Ｂの左右幅Ａは前側接地体２６Ａの最も広い左右幅Ｂに比し、狭く構成すると、右側の分草装置８Ａを外側回動させたとき後側接地体２６Ｂの泥土の引っ掛けを抑制できる。
【００２０】
前記前側接地体２６Ａは前記前側分草杆２５Ａの下方に上下に重なるように設ける（図８では理解を容易にするため、前側分草杆２５Ａの部分に斜線を付しているが、これにより構成は限定されない）。前記前側接地体２６Ａの左右両側縁は前記前側分草杆２５Ａの左右両側縁より夫々側方に突出するように幅広に形成する。図８のように、前側接地体２６Ａの左右両側縁の前側分草杆２５Ａより側方に突出する幅広部分は、左の張り出し幅Ａよりも右の張り出し幅Ｂを大きく構成する。
【００２１】
前側接地体２６Ａの左の張り出し幅Ａを右の張り出し幅Ｂより小さく構成しているので、分草装置８と分草装置８との間の分草通路内のまだ刈刃１０により切断されていない未刈り稈を倒すことがなく、前側接地体２６Ａの右の張り出し幅Ｂを大きくしても既刈地側なので、穀稈を倒す虞がなく、前側接地体２６Ａの接地面積を大きくして、圃場の凸部との接触範囲を広くでき、刈取装置４の上方退避を円滑に行える。
【００２２】
前記前側接地体２６Ａは平面視において、先細の略三角形状に形成し、前側接地体２６Ａによる分草作用を期待する（図６，図７）。
前側接地体２６Ａと後側接地体２６Ｂとは、前側接地体２６Ａの接地面積より後側接地体２６Ｂの接地面積を大きく形成する（図５）。
刈取装置４の重量が荷重として掛かる場合、比較的荷重を受けない前側接地体２６Ａの接地面積より、荷重の大きく掛かる後側接地体２６Ｂの接地面積を大きくしたことにより、刈取装置４を支持する接地圧を低減できる。
【００２３】
即ち、前記前側接地体２６Ａは側面視において、前端より後端を低く前上がりに取付け、前側接地体２６Ａの接地面積より後側接地体２６Ｂの接地面積を大きく形成する（図５）。
また、前側接地体２６Ａによる圃場の泥を押す抵抗を軽減させることができる。
前記前側接地体２６Ａは平面視において、分草装置８の分草カバー４０と上下に重なるように構成し、分草カバー４０と重なる部分の前側接地体２６Ａは、分草カバー４０の左右側縁より夫々内側に位置するようにする（図６）。
【００２４】
そのため、分草装置８の分草カバー４０が先に穀稈に接触し、前側接地体２６Ａが分草装置８の分草作用に悪影響を与えるのを防止する。
図９は、右側の分草装置８Ａを外側回動させる操作レバー３３の設置位置の他の実施例を示すものであり、操縦部７の側部操作パネル４１に操作レバー３３を設けている。
【００２５】
しかして、図１０は刈取装置４の他の実施例であり、左右方向の上部横伝動ケース５０に、複数の引起装置９を吊設し、引起装置９の下部は前記各分草装置８の分草杆２５に取付ける。分草杆２５の基部は下部横フレーム５１に固定し、下部横フレーム５１の左右両側には側部フレーム５２を設ける。
上部横伝動ケース５０の左右中間に前後方向の刈取上側支持フレーム５３の先端を取付け、刈取上側支持フレーム５３の基部には機体側に設けた懸架台（図示省略）に回転自在に取り付けた後部横伝動ケース５４を設ける。
５５はプーリー、５６は伝動軸である。
【００２６】
そして、刈取上側支持フレーム５３に変速機構６０を設けている（図１１）。変速機構６０の構成は任意であり、実施例では所謂割プーリによりプーリ径を変更して変速するベルコン変速機構としている。
刈取フレーム１５は、上部横伝動ケース５０と、下部横フレーム５１および側部フレーム５２とを別体に構成し、上部横伝動ケース５０の左右中間に前後方向の刈取上側支持フレーム５３の先端を取付けているので、刈取作物適応性を広くできる。
また、ベルコン変速機構６０により引起装置９を含めた刈取装置４の回転数の変速を容易に行え、作業性を向上させる。
【００２７】
また、ベルコン変速機構６０により変速構成を簡単に構成できる。
また、刈取上側支持フレーム５３にベルコン変速機構６０を設けているので、上部横伝動ケース５０および刈取上側支持フレーム５３を、下部横フレーム５１および側部フレーム５２と切り離して、ベルコン変速機構６０ごと上下させることができるので、伝動機構の遮断作業を不要にして、引起装置９を上昇させて刈刃１０周辺を開放でき、メンテナンス等を容易にできる。
【００２８】
また、ベルコン変速機構６０の操作レバー６１を操縦部６に設けられ、通常の刈取装置４の上下に際し、ベルコン変速機構６０と操作レバー６１との間の操作系の遮断も不要となる。
【００２９】
しかして、図１４は刈取装置４の他の実施例であり、複数並設した引起装置９のうち、中央の引起装置９の上部後側に上部カバー７０を設け、上部カバー７０の下方に案内ガイド７１を設ける。
案内ガイド７１は、後側搬送装置１４の穂先搬送ラグ７２の先端軌跡より内側へラップするまで、後方および左右方向へ張り出す形状に形成する。
そのため、長い穀稈や倒伏穀稈の搬送性能を向上させることができる。
【００３０】
（実施例の作用）
刈取装置４は、最先端位置に分草装置８を左右に並設し、各分草装置８の後側に分草装置８が分草した穀稈を引起す引起装置９を設け、引起装置９の後側には刈刃１０を設け、刈刃１０の上方の後側には刈刃１０によって刈り取った穀稈を搬送する穀稈搬送装置１１を設けているので、刈取装置４が前進すると、分草装置８が圃場の穀稈を分草し、各分草装置８が分草した穀稈を引起装置９が引起し、引起した穀稈を刈刃１０が切断し、刈刃１０によって刈り取った穀稈を穀稈搬送装置１１が搬送する。
【００３１】
刈取装置４の刈取フレーム１５は刈取支持フレーム１６の先側に設け、刈取上下シリンダ１７により刈取装置４を上下させて刈り高さを調節し、調節された刈り高さよりは下がらずに、前進して刈取作業を行う。
刈取装置４は、刈取装置４と圃場との接地圧力を軽減する補助付勢手段２０を刈取上下シリンダ１７とは別に設けているので、刈取装置４が圃場上面に接触すると、その反力により刈取装置４を上方退避させる。
【００３２】
即ち、「やじろべえ（弥次郎兵衛）」のように、刈取装置４の先端は下から軽く圃場の障害物が当たると、直ぐに上動するように、補助付勢手段２０により刈取装置４の重さを支持しているので、刈取装置４が圃場上面に接触すると、その反力により調節した刈取作業高さよりも高く上方に向けて刈取装置４を退避させ、圃場の障害物を刈取装置４が通過すると、刈取装置４は自重で刈取作業高さまで下降して刈取作業を続行する。
補助付勢手段２０は刈取装置４の不要な沈み込みを防止する。
【００３３】
この場合、刈取装置４の各分草装置８を設けた各分草杆２５の下方には橇形状の接地体２６を設けているので、接地体２６は圃場の起伏変化に伴い刈取装置４を圃場上面に追従昇降させて、圃場上面より所定高さの刈取作業高さに保持する。
しかして、複数の分草装置８のうち、少なくとも、右側の分草装置８Ａを取り付けた分草杆２５は前側分草杆２５Ａと後側分草杆２５Ｂとに前後に分割し、前側分草杆２５Ａの基部を後側分草杆１５Ｂに縦軸２７により縦軸回動自在に取付け、右側の分草装置８Ａの後側下方の前側接地体２６Ａと後側接地体２６Ｂとに分割して、前側分草杆２５Ａと後側分草杆２５Ｂの夫々の下方に取り付けているので、右側の分草装置８Ａを通常作業位置に位置させたときは、前側接地体２６Ａと後側接地体２６Ｂとは直線状に前後に並び、圃場の凸部に接触したときの刈取装置４の上方退避を円滑にさせる。
【００３４】
また、右側の分草装置８Ａを外側回動させると、前側接地体２６Ａだけが外側回動し、分草杆２５および接地体２６を回動させるときの抵抗を軽減させ、右側の分草装置８Ａの回動を円滑にする。
この場合、右側の分草装置８Ａの回動中心となる縦軸２７の下方に前側接地体２６Ａの後端を位置させると、一層、前側接地体２６Ａの回動の抵抗を軽減させ、右側の分草装置８Ａの回動を円滑にする。
【００３５】
また、前側接地体２６Ａの後端に、薄い後方突起部後方突起部３５を設け、後方突起部３５は後側接地体２６Ｂの先端下方に位置させると、前側接地体２６Ａの後端と後側接地体２６Ｂの前端とが上下に重なるので、接地体２６を前側接地体２６Ａと後側接地体２６Ｂとに分割していても、圃場の凸部に接触したときに引っ掛かるのを抑制し、補助付勢手段２０による刈取装置４の上方退避を円滑にさせる。
【００３６】
また、縦軸２７の下方に、前側接地体２６Ａの後端のみならず前側接地体２６Ａの後端と後側接地体２６Ｂの前端との上下重なり部分も位置するので、縦軸２７付近を保護でき、藁屑等が縦軸２７付近に溜まるのを防止する。
後側接地体２６Ｂの左右幅は前側接地体２６Ａの最も広い左右幅に比し、狭く構成しているので、右側の分草装置８Ａを外側回動させたとき後側接地体２６Ｂの泥土の引っ掛けを抑制できる。
【００３７】
前側接地体２６Ａは前側分草杆２５Ａの下方に上下方向に重なるように設け、前側接地体２６Ａの左右両側縁は前側分草杆２５Ａの左右両側縁より夫々側方に突出するように幅広に形成し、前側接地体２６Ａの左右両側縁の前側分草杆２５Ａより側方に突出する幅広部分は、左の張り出し幅よりも右の張り出し幅を大きく構成しているので、未刈り稈を倒すことがなく、前側接地体２６Ａの右の張り出し幅を大きくしても既刈地側なので、穀稈を倒す虞がなく、前側接地体２６Ａの接地面積を大きくして、圃場の凸部との接触範囲を広くでき、刈取装置４の上方退避を円滑に行える。
【００３８】
前側接地体２６Ａと後側接地体２６Ｂとは、前側接地体２６Ａの接地面積より後側接地体２６Ｂの接地面積を大きく形成しているので、刈取装置４の重量が荷重として掛かる場合、比較的荷重を受けない前側接地体２６Ａの接地面積より、荷重の大きく掛かる後側接地体２６Ｂの接地面積を大きくしたことにより、刈取装置４を支持する接地圧を低減できる。
【００３９】
前側接地体２６Ａは側面視において、前端より後端を低く前上がりに取付けているので、圃場の泥を押す抵抗を軽減させることができる。
前側接地体２６Ａは平面視において、分草装置８の分草カバー４０と上下に重なるように構成し、分草カバー４０と重なる部分の前側接地体２６Ａは、分草カバー４０の左右側縁より夫々内側に位置させているので、分草装置８の分草カバー４０が先に穀稈に接触し、前側接地体２６Ａが分草装置８の分草作用に悪影響を与えるのを防止する。
【００４０】
しかして、前側分草杆２５Ａにアーム３０の中間部を固定し、アーム３０は縦軸２７に回動自在に取付け、アーム３０の一方端にはバネ３１を接続し、アーム３０の他方端には操作用伝達部材３２を係止しているので、操作レバー３３の操作により操作用伝達部材３２を牽引すると、分草装置８を縦軸２７中心に外側回動させ、操作レバー３３により操作用伝達部材３２を弛めると、バネ３１の弾力により分草装置８を縦軸２７中心に元の作業位置に戻す。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【符号の説明】
【００４１】
１…機体フレーム、２…走行装置、３…脱穀装置、４…刈取装置、５…グレンタンク、７…操縦部、８…分草装置、９…引起装置、１０…刈刃、１１…穀稈搬送装置、１２…掻き込み装置、１３…後側搬送装置、１５…刈取フレーム、１６…刈取支持フレーム、１７…刈取上下シリンダ、２０…補助付勢手段、２１…バネ、２５…分草杆、２６…接地体、２７…縦軸、３０…アーム、３１…バネ、３２…操作用伝達部材、３３…操作レバー、３５…後方突起部、４０…分草カバー、５０…上部横伝動ケース、５１…下部横フレーム、５２…側部フレーム、５３…刈取上側支持フレーム、５４…後部横伝動ケース、６０…ベルコン変速機構、６１…操作レバー、７０…上部カバー、７１…案内ガイド、７２…穂先搬送ラグ。
【図１】
2010172239.tif 000003
【図２】
2010172239.tif 000004
【図３】
2010172239.tif 000005
【図４】
2010172239.tif 000006
【図５】
2010172239.tif 000007
【図６】
2010172239.tif 000008
【図７】
2010172239.tif 000009
【図８】
2010172239.tif 000010
【図９】
2010172239.tif 000011
【図１０】
2010172239.tif 000012
【図１１】
2010172239.tif 000013
【図１２】
2010172239.tif 000014
【図１３】
2010172239.tif 000015
【図１４】
2010172239.tif 000016
【図１５】
2010172239.tif 000017
【図１６】
2010172239.tif 000018
【図１７】
2010172239.tif 000019